(57)【特許請求の範囲】
【請求項１】
通路と外部側窓との間に区画されて配置され、窓外には既存のバルコニーが設けられている、水廻り設備のない多床室の既存病室を個室にリニューアルする方法であって、
前記外部側窓に面して、洗面台およびトイレからなる水廻り設備を配して、該水廻り設備をカーテンまたはアコーディオンドアで仕切り、該水廻り設備に接続される配管を窓外の既存のバルコニーに配設することを特徴とする既存病室の個室へのリニューアル方法。
【請求項２】
前記既存病室が縦横に２床ずつ配置される４床室であり、この既存病室を、通路から外部側窓にかけて間仕切りをすることにより２床分ずつの病室とし、さらにその少なくとも一方に、外部側窓に面して洗面台およびトイレからなる水廻り設備を配することを特徴とする請求項１記載の既存病室の個室へのリニューアル方法。
【発明の詳細な説明】
【０００１】
【発明の属する技術分野】
本発明は、水廻り設備のない既存病室を、水廻り設備を有した個室にリニューアルする方法に関する。
【０００２】
【従来の技術】
病棟における病室としては、例えば図３に示すように縦横に２床ずつ配置し、計４床を配置した平面視略正方形のものがよく知られている。この既存の病室１は、一方に通路（廊下）２へ続くドア３を配し、これと反対の側にバルコニー４、すなわち外部に通じる窓５を配し、これら通路２側から窓５側については、間仕切り壁６、６によって他の病室等から区画された構造となっている。なお、図３中において符号７はベッド、８はカーテンである。
【０００３】
ところで、このような病室１は、一般に必要最小限のスペースに抑えられることによって病棟の効率化が図られており、したがって、洗面台やトイレなどの水廻り設備は設置されておらず、したがってこれらを利用したい場合には通路２に出て共同のものを利用するようになっている。
【０００４】
しかしながら、近年では、例えば急性期重症病室や慢性期病室、緩和ケア病室、感染症病室、要介護老人病室などにおいて、トイレや洗面台といった水廻り設備をベッド７の近く欲しいといった要望がある。すなわち、これらの病室では、患者のプライバシー以上に、トイレが患者の近くにある方が強く望まれているのである。
【０００５】
このような要望を受け、図３に示したような病室１に水廻り設備を設けるようにし、これに伴って水廻り設備を設けた個所を多床室から個室にリニューアルすることが、一部になされている。図４は図３に示した病室１をリニューアルし、水廻り設備９を設けた個室１ａを形成した場合の一例を示す図である。
図４に示した例では、水廻り設備９を設けたことによって２床分のスペースから１床の個室１ａを形成し、また、残りの２床分についてはそのまま残して２床室１ｂとしている。
【０００６】
水廻り設備９はトイレ１０と洗面台１１とからなっており、通路２側に形成されたものとなっている。そして、このような構成によりベッド７は、窓５側に配置された構成となっている。なお、符号１２はワードロープである。
【０００７】
【発明が解決しようとする課題】
ところで、図４に示した個室１ａへのリニューアル方法においては、水廻り設備９を通路２側に形成していることから、特にこれの施工の際、上下に連続する階がそのパイプシャフト工事のため使用できなくなってしまうといった不都合があった。
また、水廻り設備９を通路２側に形成していることから、必然的に出入口となる通路２側が狭くなり、通路２からの視界が狭くなって室内の患者の看護状態が視認しにくくなり、さらに室内の有効スペースも床面積に対して狭いものとなってしまっていた。
また、このように水廻り設備９を通路２側に形成していることから、その施工に際してはコンクリートハツリ工事があり、したがって騒音や振動が生じることにより、別の病室の患者などにとっては非常に煩わしいこととなってしまっていた。
【０００８】
本発明は前記事情に鑑みてなされたもので、その目的とするところは、パイプシャフト工事によって上下階が使用できなくなるといった不都合を防止し、さらに通路側が狭くなることによる不都合を防止するとともに、コンクリートハツリ作業をも不要にした、既存病室の個室へのリニューアル方法を提供することにある。
【００１２】
【課題を解決するための手段】
本発明の既存病室の個室へのリニューアル方法では、通路と外部側窓との間に区画されて配置され、窓外には既存のバルコニーが設けられている、水廻り設備のない多床室の既存病室を個室にリニューアルする方法であって、前記外部側窓に面して、洗面台およびトイレからなる水廻り設備を配して、該水廻り設備をカーテンまたはアコーディオンドアで仕切り、該水廻り設備に接続される配管を窓外の既存のバルコニーに配設することを前記課題の解決手段とした。
【００１３】
このリニューアル方法によれば、水廻り設備を外部側窓に面して配するとともに、それに伴う配管を窓外の既存のバルコニーに配設するので、屋内でのパイプシャフト工事が不要になる。
また、水廻り設備を外部側窓に面して配したことにより、出入口となる通路側が狭くなることがなくなる。
また、前記水廻り設備を、カーテンまたはアコーディオンドアで仕切ることにより、間仕切りに要する施工が簡略化され、また室内の有効スペースも床面積に対して広いものとなる。
【００１４】
また、前記既存病室が縦横に２床ずつ配置される４床室であり、この既存病室を、通路から外部側窓にかけて間仕切りをすることにより２床分ずつの病室とし、さらにその少なくとも一方に、外部側窓に面して洗面台およびトイレからなる水廻り設備を配するようにすれば、一般的な４床の病室を、例えば水廻り設備を有した個室と従来からの２床室とにリニューアルすることが可能になる。
【００１６】
【発明の実施の形態】
以下、本発明を、既存病室の個室へのリニューアル方法に基づいて詳しく説明する。
図１は、図３に示した４床室である既存の病室１、すなわち縦×横が６．０ｍ×６．０ｍの正方形状の病室１をリニューアルした後の形態を示す平面図である。図１中符号２０は、リニューアル後に形成された個室であって本発明のリニューアル方法により施工された個室病室の一実施例形態例となるものである。また、２１はリニューアル後に形成された２床室、２２はこれら個室２０と２床室２１とを間仕切りする間仕切り壁である。
【００１７】
本例のリニューアル方法では、図１に示したように、まず、図３に示した既存病室１を、通路２から外部側窓５にかけて間仕切り壁２２を形成することにより、この間仕切り壁２２で隔てたそれぞれを２床分ずつの病室とする。ここで、間仕切り壁２２については、もともとが無いところに形成するものであり、もちろん耐力壁となる必要がないことから、単に両方の病室間を仕切るだけでの簡易な構造のものでよく、したがってその施工についても、壁体となるパーツを単に組み立てるだけで行うようにすることができる。
【００１８】
次に、間仕切り壁２２で仕切ったうちの一方の病室について、既存のバルコニー４側、すなわち外部に通じる側の窓５に面して、水廻り設備２３を配設する。水廻り設備２３は、図２（ａ）に示すように洗面台２４と便器が収納型のトイレ２５とからなるものであり、トイレ２５には消音器２６を取り付け、またトイレ２５の近傍には可動型の手摺２７を配設している。ここで、このような洗面台２４およびトイレ２５からなる水廻り設備２３については、これが窓５に面して配置されたことにより、図１に示すようにその配管２８を屋外の既存のバルコニー４部分に配設し、その外側を例えばパンチングメタル（図示略）で覆って保護するようにする。
【００１９】
また、このような水廻り設備２３については、図２（ｂ）に示すように室内側（通路２側）との間を開閉可能な簡易間仕切り２９としてのカーテンまたはアコーディオンドアで仕切るようにし、水廻り設備２３を患者が使用する際には、この簡易間仕切り２９を閉じ、これによって患者のプライバシーを守るようにする。
【００２０】
室内側については、前記簡易間仕切り２９の近傍に患者用のベッド３０を置き、トイレ２５や洗面台２４をより利用し易くする。また、このベッド３０より通路２側には衝立３１を介してソファーベッド３２を置き、患者の家族が面会に来たときなど、ここで歓談したり、仮眠がとれるようにする。さらに、通路２側にはワードロープ３３を設置し、外に行くときに着替え易くする。
【００２１】
また、通路２からの出入口に取り付けるドア３４については、引き戸タイプとするとともに、その腰上部分を透明ガラスとし、これによって通路２側から室内側が容易に視認できるようにする。
なお、このようにして水廻り設備２３を配設してリニューアルした個室２０に対し、間仕切り壁２２で仕切られた残りの２床分については、図１に示したように、従来と同様にそのまま残して２床室２１とする。
【００２２】
このような構成からなる個室（個室病室）２０へのリニューアル方法にあっては、水廻り設備２３を外部側窓５に面して配し、水廻り設備２３の配管２８を屋外の既存バルコニー４に配設したので、これによって屋内でのパイプシャフト工事を不要にして、従来のごとくパイプシャフト工事のため上下に連続する階が使用できなくなってしまうといった不都合を回避することができる。
また、水廻り設備２３を外部側窓５に面して配したことにより、従来のように出入口となる通路２側が狭くなることがなくなり、これにより通路２からの視界が広くなって室内の患者の看護状態が視認し易くなる。
【００２３】
また、縦横に２床ずつ配置される４床室の既存病室１を、通路２から外部側窓５にかけて間仕切り壁２２を形成することにより２床分ずつの病室とし、さらにその一方に水廻り設備２３を配したことにより、従来の一般的な４床の病室１を、水廻り設備２３を有した個室２０と従来からの２床室２１とにリニューアルすることができる。そして、その場合に間仕切り壁２２については耐力壁とする必要がないため、例えば単に壁体のパーツをその場で組み立てる程度の簡単な作業でこれを形成することができ、また前述したように水廻り設備２３の配管も屋外の既存バルコニー４に配したことにより、施工に際してはコンクリートハツリ工事が不要となり、これにより施工時に生じる騒音や振動を最小限に抑えることができる。
【００２４】
また、前記水廻り設備２３をカーテンやアコーディングドアで仕切っているので、間仕切りに要する施工を簡略化することができ、また室内の有効スペースも、図４に示した個室１ｂでは約３．９ｍ×３．０ｍ＝１１．７ｍ2 であったのに対し、本例の個室１０では５．０ｍ×３．０ｍ＝１５．０７ｍ2 と、床面積に対して十分に広いものにすることができる。
【００２５】
なお、前記実施形態例では、既存病室として４床室のものを対象としたが、本発明はこれに限定されることなく、外部に通じる窓を有し、窓外に既存のバルコニーがある多床室であれば、どのような平面形状であっても、また床数がいくつのものであっても、適用可能である。
【００２６】
また、前記実施形態例では、４床室の既存病室を、個室２０と２床室２１とにリニューアルしたが、本発明はこれに限定されることなく、４床室の既存病室を、水廻り設備２３を外部側窓５に面して配してなる個室２０が二つとなるように、リニューアルしてもよい。
【００２９】
【発明の効果】
本発明の既存病室の個室へのリニューアル方法は、水廻り設備を外部側窓に面して配し、その配管を既存のバルコニーに配設する方法であるから、屋内でのパイプシャフト工事を不要にして、従来のごとくパイプシャフト工事のため上下に連続する階が使用できなくなってしまうといった不都合を回避することができる。
また、水廻り設備を外部側窓に面して配したことにより、従来のように出入口となる通路側が狭くなることがなくなり、これにより通路からの視界が広くなって室内の患者の看護状態が視認し易くなる。
また、前記水廻り設備をカーテンまたはアコーディオンドアで仕切ることにより、間仕切りに要する施工を簡略化することができ、また室内の有効スペースも床面積に対して十分に広いものにすることができる。
【００３０】
また、既存病室が縦横に２床ずつ配置される４床室であり、この既存病室を、通路から外部側窓にかけて間仕切りをすることにより２床分ずつの病室とし、さらにその少なくとも一方に、外部側窓に面して水廻り設備を配するようにすれば、従来の一般的な４床の病室を、例えば水廻り設備を有した個室と従来からの２床室とにリニューアルすることができる。その場合に、間仕切りについては耐力壁とする必要がないため、簡単な作業でこれを形成することができ、また水廻り設備の配管スペースも屋外に配することにより、施工に際してコンクリートハツリ工事を不要にし、これにより施工時に生じる騒音や振動を最小限に抑えることができる。
【００３１】
さらに、本発明によれば、既存の多床室を個室にリニューアルすることにより、差額ベッド収入が得られることによる経営上の効率化を図ることができる。
【図面の簡単な説明】
【図１】  本発明のリニューアル方法の一実施形態例を説明するための、個室および２床室の平面図である。
【図２】  図１に示した個室の内部構成を示す図であり、（ａ）は外部窓側の構成を示す側面図、（ｂ）は個室全体の構成を示す側面図である。
【図３】  既存の病室の概略構成を示す平面図である。
【図４】  従来のリニューアル方法の一例を説明するための、個室および２床室の平面図である。
【符号の説明】
２…通路、４…バルコニー、５…窓、２０…個室（個室病室）、２１…２床室、２２…間仕切り壁、２３…水廻り設備、２４…洗面台、２５…トイレ、２８…配管、２９…簡易間仕切り（カーテンまたはアコーディオンドア）。
【図１】
0003713660.tif 000002
【図２】
0003713660.tif 000003
【図３】
0003713660.tif 000004
【図４】
0003713660.tif 000005